(57)【要約】【課題】本発明は、基盤に設けられた調整ボリュームを調整困難な状況下にある場合でも、所望の目盛りの数だけ回転する調整作業を、容易且つ確実に行うことができるドライバーを提供することを目的とする。【解決手段】電子機器の基板に設けられた調整ボリュームに用いられるドライバーであって、ドライバーグリップ部１２に、ドライバー軸１４に直交するように目盛り付きの方位磁石１８を設けることができる。また、方位磁石のカバーグラスが凸レンズで形成することができる。【選択図】図１
2010194619.tif 000002
【特許請求の範囲】
【請求項１】
ドライバーグリップ部に、ドライバー軸に直交するように目盛り付きの方位磁石を設けたことを特徴とするドライバー。
【請求項２】
前記方位磁石のカバーグラスが凸レンズで形成されていることを特徴とする請求項１のドライバー。
【請求項３】
前記方位磁石の目盛りは時計の文字盤であることを特徴とする請求項１又は２のドライバー。
【請求項４】
前記方位磁石は前記ドライバーグリップ部に対して着脱自在であることを特徴とする請求項１〜３の何れか１のドライバー。
【請求項５】
前記ドライバーは、プリンタに設けられた調整ボリュームを所望の目盛りの数だけ回転させるのに使用されることを特徴とする請求項１〜４の何れか１のドライバー。
【発明の詳細な説明】
【技術分野】
【０００１】
本発明は、ドライバーに係り、特にプリンタに設けられた調整ボリュームを所望回転量だけ回転させるのに使用するドライバーに関する。
【背景技術】
【０００２】
プリンタの制御ボードには、特許文献１に示すように、例えば印字濃度の調整、センサーの検出感度の調整等を行うための各種の調整ボリュームが設けられている。この調整ボリュームの頭部には、プラス又はマイナスの溝が刻設されていると共に、調整ボリュームの頭部周りには円周上に目盛りが表示されている。
【０００３】
そして、印字濃度の調整、センサーの検出感度の調整等を行う場合には、調整ボリュームの溝にドライバー軸の先端を挿入し、目盛りを見ながら所望の目盛りの数だけ回転することで調整する。
【先行技術文献】
【特許文献】
【０００４】
【特許文献１】特開平１１―３０９６７５号公報
【発明の概要】
【発明が解決しようとする課題】
【０００５】
しかしながら、プリンタに設けられている各種の調整ボリュームの頭部は小さく、配線等によって目盛りが隠れている場合には目盛りも見えにくい等の調整困難な状況下にあることが多く、調整ボリュームを所望の目盛りの数だけ回転する調整作業は容易でないという問題がある。
【０００６】
この問題は、プリンタの調整ボリュームに限らず、各種機器に設けられている同様の調整ボリュームや、調整ボリュームに類似する調整機器をドライバーで調整する場合も同様である。なお、本発明では、調整ボリュームや、調整ボリュームに類似する調整機器を全て含めて調整ボリュームと称することにする。
【０００７】
本発明はこのような事情に鑑みてなされたものであり、例えば調整困難な状況下にある調整ボリュームを所望の目盛りの数だけ回転する調整作業を、容易且つ確実に行うことができるドライバー提供することを目的とする。
【課題を解決するための手段】
【０００８】
本願請求項１は前記目的を達成するために、ドライバーグリップ部に、ドライバー軸に直交するように目盛り付きの方位磁石を設けたことを特徴とするドライバーを提供する。
【０００９】
本発明によれば、例えばプリンタに設けられた調整ボリュームを所望の目盛りの数だけ回転する調整作業を行う場合、方位磁石が水平になるようにドライバー軸の先端をボリュームの溝に係合させ、その時点での方位磁石の磁針が北を指している目盛り位置を確認する。そして、北を指している目盛り位置から例えば３目盛り分だけ調整ボリュームを回転させたい場合には、３目盛り分だけ進んだ目盛り位置で磁針が北を指すようにドライバーを回転させる。
【００１０】
この場合、磁針が指す北は常に一定であるので、ドライバーの回転方向に対して目盛りは反対方向に見かけ上進む。したがって、調整ボリュームの調整作業は通常ドライバーを
右回転させるので、目盛りの数値表示は左回りに数字が大きくなるように表示することが好ましい。
【００１１】
このように、本発明のドライバーを使用すれば、ドライバーグリップ部に設けた方位磁石の磁針と目盛りを見ることで調整ボリュームの回転角度又は回転量を知ることができるので、従来のようにプリンタ内部の見にくい目盛りを見ながら調整する必要がない。したがって、ボリュームの調整作業を容易且つ確実に行うことができる。
【００１２】
本発明においては、前記方位磁石のカバーグラスが凸レンズで形成されていることが好ましい。方位磁石のカバーグラスが凸レンズで形成されているで、方位磁石の針や目盛りが拡大されて見える。これにより、調整作業が一層容易になる。
【００１３】
本発明においては、前記方位磁石の目盛りは時計の文字盤であることが好ましい。
【００１４】
方位磁石をそのまま使用すると、東西南北の目盛りが表示されているので、時計の文字盤の方が調整作業し易い。
【００１５】
本発明においては、前記方位磁石は前記ドライバーグリップ部に対して着脱自在であることがこのましい。これにより、通常は普通のドライバーとして使用でき、調整ボリュームの調整のときに方位磁石を取り付けて調整することができる。
【００１６】
本発明においては、前記ドライバーは、プリンタに設けられた調整ボリュームを所望の目盛りの数だけ回転させるのに使用されることが好ましい。
【００１７】
本発明の用途の代表的な一例を示したものであり、プリンタに設けられた各種の調整ボリュームの調整に本発明のドライバーは好適だからである。
【図面の簡単な説明】
【００１８】
【図１】本発明のドライバーの第１の実施の形態を説明する説明図
【図２】本発明のドライバーの第１の実施の形態の変形例を説明する説明図
【図３】本発明のドライバーの第２の実施の形態を説明する説明図
【図４】本発明のドライバーの第２の実施の形態の変形例を説明する説明図
【図５】サーマルプリンタの側面断面図
【図６】本発明のドライバーでサーマルプリンタの調整ボリュームを調整している説明図
【図７】調整ボリュームの調整において、ドライバーの回転と方位磁石の磁針との関係を説明する説明図
【発明を実施するための形態】
【００１９】
以下、図面に基づいて本発明のドライバーの好ましい実施の形態について詳細に説明する。
【００２０】
本発明のドライバー１０（ネジ回し）は、ドライバーグリップ部１２に、ドライバー軸１４に直交するように目盛り付きの方位磁石１８（コンパスともいう）を設けることによって構成される。本発明のドライバー１０は、ドライバー１０の回転（ドライバーを使用するための回転）に関係なく、方位磁石１８の磁針（Ｎ極）１８Ａが地磁気に反応して常に北を向くことを利用したものである。以下、図１〜図４に本発明のドライバー１０における好ましい各種の態様を説明する。
【００２１】
図１は、本発明のドライバー１０の第１の実施の形態であり、図１（Ａ）に示すドライ
バーグリップ部１２の頂部１２Ａに、ドライバー軸１４に直交するように図１（Ｂ）の方位磁石１８が設けられている場合である。
【００２２】
このドライバー１０を製作する方法としては、ドライバーグリップ部１２の頂部１２Ａを平らにカットして、カットした面に方位磁石１８の底面を接着剤等により接着することにより容易に製作することができる。この場合、表示盤１６に東西南北を表示している市販の方位磁石をそのまま使用することも可能であるが、図１（Ｂ）のように時計の表示盤１６（文字盤）を表示した方位磁石１８を製作することが好ましい。なお、時計の表示盤１６は１〜１２までを等分して目盛りを表示しているが、これに限定されるものではなく、１〜２０等分の表示盤１６、１〜３０等分の表示盤１６の目盛り表示でもよい。要は、目的に応じた目盛り表示にすることが好ましい。
【００２３】
また、方位磁石１８のカバーグラス１７は、凸レンズで形成されていることが好ましい。これにより、方位磁石１８の磁針１８Ａや表示盤１６の目盛りや数字が拡大されるので、見易くなる。
【００２４】
図２は、図１の変形例を示したものであり、方位磁石１８の表示盤１６に表示した１〜１２の数字を反時計回りに表示したものである。この理由は、本発明のドライバー１０を好適に使用する例えばサーマルプリンタ３４の調整ボリューム３５（図５、図６参照）の調整において、ドライバー１０を右回り（時計回り）で回転させて調整することが通常である。これにより、方位磁石１８の表示盤１６もドライバー１０の回転によって右回りに回転する。これに対して、方位磁石１８の磁針１８Ａは、常に地磁気の北を向いて動かないので、表示盤１６から見ると磁針１８Ａが、見かけ上において左回り（反時計回り）に動いているように見える。したがって、方位磁石１８の表示盤１６に表示した１〜１２の数字を反時計回りに表示した方が、数字が増える方向に磁針１８Ａが動いて見えるので、どのぐらい動いたかが分かり易い。なお、本発明のドライバー１０でサーマルプリンタ３４の調整ボリューム３５を調整する方法については、詳しく後記する。
【００２５】
図３は、本発明のドライバー１０の第２の実施の形態であり、方位磁石１８がドライバーグリップ部１２に対して着脱自在に構成された場合である。
【００２６】
図３に示すように、方位磁石１８の下面中央には嵌合棒２０が下面に対して垂直に突起していると共に、ドライバーグリップ部１２の頂面中央には嵌合棒２０に嵌合する嵌合穴２２が穿設される。これにより、嵌合棒２０を嵌合穴２２に挿入して嵌合することにより、方位磁石１８をドライバーグリップ部１２に対して着脱自在に構成することができる。したがって、通常は方位磁石１８を設けない普通のドライバーとして使用でき、調整ボリューム３５の調整のときに方位磁石１８を取り付けることができる。この場合、方位磁石１８の本体はドライバー１０の回転と一緒に回転する必要がある。したがって、嵌合棒２０及び嵌合穴２２はドライバー１０の回転方向で動かない構造であることが必要である。例えば、嵌合棒２０及び嵌合穴２２は断面形状が三角形以上の多角形状であることが好ましい。
【００２７】
図４は、本発明のドライバー１０の第２の実施の形態の変形例であり、方位磁石１８をドライバーグリップ部１２の中央部において着脱自在に構成したものである。
【００２８】
図４（Ａ）に示すように、方位磁石１８の上面中央と下面中央には、上側嵌合棒２４と下側嵌合棒２６とが上面（又は下面）に対して垂直に突起している。この場合、上側嵌合棒２４と下側嵌合棒２６とが方位磁石１８の本体を貫通しないように設ける。
【００２９】
一方、ドライバーグリップ部１２が略中央位置で上側グリップ部１２Ｂと下側グリップ
部１２Ｃとに２分割されている。そして、上側グリップ部１２Ｂと下側グリップ部１２Ｃとに、上側嵌合棒２４と下側嵌合棒２６とに嵌合する上側嵌合穴２８と下側嵌合穴３０とが形成される。これにより、上側嵌合棒２４と上側嵌合穴２８とを嵌合し、下側嵌合棒２６と下側嵌合穴３０とを嵌合すれば、方位磁石１８をドライバーグリップ部１２の中央部において着脱自在に構成することができる。
【００３０】
したがって、図３の場合と同様に、通常は普通のドライバーとして使用でき、調整ボリューム３５の調整のときに方位磁石１８を取り付けることができる。また、方位磁石１８をドライバーグリップ部１２の中央部に設けることにより、ドライバーグリップ部１２の頂部１２Ｂを手で持ってドライバー１０を操作することができるので、操作し易い。
【００３１】
なお、通常のドライバーとして使用する場合には、図４（Ｂ）に示すように、上側嵌合棒２４と下側嵌合棒２６とがつながった長さの連結棒３２を用意しておき、上側嵌合穴２８と下側嵌合穴３０とに挿入することで、上側グリップ部１２Ｂと下側グリップ部１２Ｃとを連結することができる。
【００３２】
次に、本発明のドライバー１０を使用する一例として、図５に示すサーマルプリンタ３４の調整ボリューム３５を調整する例で説明する。
【００３３】
先ず、サーマルプリンタ３４の構成について簡単に説明すると、サーマルプリンタ３４は、主として、プラテンローラ３６を備えた本体フレーム３８と、外装カバー４０と、サーマルヘッド４２を備えたヘッドユニット４４と、用紙ロール４６を巻き戻してサーマルヘッド４２とプラテンローラ３６との間に印字用紙４６Ａを供給する用紙供給リール４８と、で構成される。
【００３４】
本体フレーム３８と外装カバー４０とはヒンジ５０により連結され、ヒンジ５０を中心に外装カバー４０を回動させることにより外装カバー４０を開閉することができる。
【００３５】
本体フレーム３８のヒンジ反対側には印字用紙４６Ａを排出する用紙排出口５２が設けられ、用紙供給リール４８から送り出された印字用紙４６Ａはサーマルヘッド４２とプラテンローラ３６とに挟持された状態で印字された後、用紙排出口５２から排出される。用紙供給リール４８とヘッドユニット４４の間には、印字用紙４６Ａの供給ルートを形成するパスローラ５４や印字タイミング等をセンシングするセンサー５６が配置される。
【００３６】
ヘッドユニット４４は、サーマルヘッド４２と、ヘッドカバー５８と、ヘッドフレーム（図示せず）と、で構成され、サーマルヘッド４２とヘッドカバー５８との間には、印字圧力を加圧するための複数のヘッド圧用バネ（図示せず）が配設される。これにより、印字状態時におけるサーマルヘッド４２のプラテンローラ３６に対する印字圧力が適正に調整され、制御ボード４５からの指示によって印字用紙４６Ａに印字情報が印字される。
【００３７】
かかるサーマルプリンタ３４には、例えばサーマルヘッド４２における印字濃度の調整、センサー５６の検出感度の調整等を行うための各種の調整ボリューム３５が設けられている。
【００３８】
そして、本発明のドライバー１０を使用して、調整ボリューム３５の調整を次のように行う。なお、ここでは方位磁石１８の表示盤１６として１〜１２の数字を反時計回りに表示した図２のドライバー１０を用いることにする。
【００３９】
図６に示すように、先ず外装カバー４０を開成してサーマルプリンタ３４の内部を開放し、ドライバー１０のドライバー軸１４先端を調整ボリューム３５の頭部に形成された溝
に係合させる。この状態でドライバー１０に設けられた方位磁石１８は水平状態にある。
【００４０】
調整ボリューム３５の頭部に形成された溝は、プラス溝（プラスドライバー用の溝）又はマイナス溝（マイナスドライバー用の溝）が形成されているので、本発明のドライバー１０もドライバー軸１４の先端形状がプラス溝対応のものとマイナス溝対応のものとを２種類用意しておくと便利である。
【００４１】
次に、ドライバー１０で調整ボリューム３５を左回り（反時計回り）に停止するまで回す。この停止した位置が調整ボリューム３５を調整しないゼロ位置になるので、ゼロ位置においてドライバー１０における方位磁石１８の磁針１８Ａが表示盤１６のどの目盛り又は数値を指しているかを確認する。ここでは、図７（Ａ）に示すように、磁針１８Ａが表示盤１６の数字１２を指していたとする。即ち、表示盤１６の数字１２の方向が地磁気の北方向に一致する。
【００４２】
そして、本発明のドライバー１０によって調整ボリューム３５を右回り方向に９０°回転させることにより、調整ボリューム３５を調整するとする。この場合には、ドライバー１０を右回りに回転させていくと、方位磁石１８の表示盤１６も一緒に回転するので、図７（Ｂ）に示すように磁針１８Ａが表示盤１６の数字３を指すまでドライバー１０を回転させる。これにより、調整ボリューム３５を右回り方向に９０°回転させることができる。
【００４３】
このように、本発明のドライバー１０を使用すれば、ドライバーグリップ部１２に設けた方位磁石１８の磁針１８Ａと表示盤１６の目盛りや数字を見ることで、調整ボリューム３５の回転角度（又は回転量）を知ることができる。したがって、従来のようにサーマルプリンタ３４内部の見にくい目盛りを見ながら調整する必要がないので、調整ボリューム３５の調整作業を容易且つ確実に行うことができる。
【００４４】
なお、本実施の形態では、本発明のドライバー１０を使用する対象例としてサーマルプリンタ３４で説明したが、これに限定されるものでないことは言うまでもない。
【符号の説明】
【００４５】
１０…ドライバー、１２…ドライバーグリップ部、１２Ａ…ドライバーグリップ部の頂部、１４…ドライバー軸、１６…表示盤、１７…カバーグラス、１８…方位磁石、２０…嵌合棒、２２…嵌合穴、２４…上側嵌合棒、２６…下側嵌合棒、２８…上側嵌合穴、３０…下側嵌合穴、３２…連結棒、３４…サーマルプリンタ、３５…調整ボリューム、３６…プラテンローラ、３８…プリンタ本体、４０…外装カバー、４２…サーマルヘッド、４４…ヘッドユニット、４５…制御ボード、４６…用紙ロール、４８…用紙供給リール、５０…ヒンジ、５２…用紙排出口、５４…パスローラ、５６…センサー、５８…ヘッドカバー
【図１】
2010194619.tif 000003
【図２】
2010194619.tif 000004
【図３】
2010194619.tif 000005
【図４】
2010194619.tif 000006
【図５】
2010194619.tif 000007
【図６】
2010194619.tif 000008
【図７】
2010194619.tif 000009